(57)【要約】    【課題】  潮や風によって流されることなく所望の位置に定着させることができる釣用浮きを提供すること。    【解決手段】  本発明では、釣用浮きにおいて、前端部分に前方からの潮や風の流れを左右後方に振り分ける振分部を形成するとともに、後端部分に前記振分部で振り分けた潮や風の流れを巻き込むことによって発生させた前方へ向かう押圧力を受ける受部を形成することにした。また、前半部全体を重量のある錘部とするとともに、後半部全体を水中で浮力を発生させる浮力発生部とした。さらに、発光体を装着するために形成した装着溝の周囲に反射面を形成することにした。【選択図】      図７
2006311809.tif 000002
【特許請求の範囲】
【請求項１】
前端部分に前方からの潮や風の流れを左右後方に振り分ける振分部を形成するとともに、後端部分に前記振分部で振り分けた潮や風の流れを巻き込むことによって発生させた前方へ向かう押圧力を受ける受部を形成したことを特徴とする釣用浮き。
【請求項２】
前半部全体を重量のある錘部とするとともに、後半部全体を水中で浮力を発生させる浮力発生部としたことを特徴とする請求項１に記載の釣用浮き。
【請求項３】
発光体を装着するために形成した装着溝の周囲に反射面を形成したことを特徴とする請求項１又は請求項２に記載の釣用浮き。
【発明の詳細な説明】
【技術分野】
【０００１】
本発明は、釣り用具として用いられる浮きに関するものである。
【背景技術】
【０００２】
従来より、釣り用具として用いられる浮きとしては、円錐型やドングリ型などの前後及び左右に対称形状のものが多用されている（たとえば、特許文献１参照。）。
【０００３】
これらの円錐型やドングリ型などの浮きは、断面が円形又は楕円形となっており、発泡剤や木材などで全体が形成され、その下端部分に錘が埋め込まれた構造となっている。
【０００４】
また、夜間での使用ができるように外側面に発光体を装着するための装着溝を形成したものもある。
【特許文献１】特開２００４−１８７５５９号公報
【発明の開示】
【発明が解決しようとする課題】
【０００５】
ところが、上記従来の浮きは、断面が円形又は楕円形の前後及び左右対称形状となっていたために、使用時に海面に上端部分を露出した姿勢で浮いた状態となっており、潮や風が流れている場合に、海面下の前端部分で潮の流れを受け、或いは海面上の前端部分で風の流れを受け、潮や風の流れとともに浮き自体も流れてしまい、釣り人が所望する位置に浮きを定着させておくことが困難であった。
【０００６】
また、上記従来の浮きは、全体的に見ると一部分の下端部分だけに錘が埋め込まれた構造となっていたために、遠方に向けて浮きとともに釣針を投げ込んだ際に空中で浮きの重心がふらついてしまい、釣り人が所望する位置に浮きを投げ込むことが困難であった。しかも、一部分だけに錘が埋め込まれていたために、錘の重量が軽すぎて、浮きだけでは姿勢が不安定となって使用できず、はりすに錘を別個装着する必要があった。
【０００７】
さらに、上記従来の浮きは、外側面に発光体を装着するための装着溝を形成していたものの、浮き自体の外側面の反射率が低く、発光部分を目視で確認することが困難であった。
【課題を解決するための手段】
【０００８】
そこで、請求項１に係る本発明では、釣用浮きにおいて、前端部分に前方からの潮や風の流れを左右後方に振り分ける振分部を形成するとともに、後端部分に前記振分部で振り分けた潮や風の流れを巻き込むことによって発生させた前方へ向かう押圧力を受ける受部を形成することにした。
【０００９】
また、請求項２に係る本発明では、前記請求項１に係る本発明において、前半部全体を重量のある錘部とするとともに、後半部全体を水中で浮力を発生させる浮力発生部とすることにした。
【００１０】
また、請求項３に係る本発明では、前記請求項１又は請求項２に係る本発明において、発光体を装着するために形成した装着溝の周囲に反射面を形成することにした。
【発明の効果】
【００１１】
そして、本発明では、以下に記載する効果を奏する。
【００１２】
すなわち、請求項１に係る本発明では、前端部分に前方からの潮や風の流れを左右後方に振り分ける振分部を形成するとともに、後端部分に前記振分部で振り分けた潮や風の流れを巻き込むことによって発生させた前方へ向かう押圧力を受ける受部を形成しているために、潮や風が流れている釣り場であっても、振分部で振り分けた潮や風で発生した押圧力を受部で受けることによって浮き自体が潮や風とともに流れてしまうのを防止することができ、浮きを所望する位置に定着させることができる。
【００１３】
また、請求項２に係る本発明では、前半部全体を重量のある錘部とするとともに、後半部全体を水中で浮力を発生させる浮力発生部としているために、前半部全体に形成した錘部によって浮きを投げ込んだ際の空中での重心のぶれがなくなり、浮きを所望する位置に投げ込むことができる。
【００１４】
しかも、錘の重量を重くすることができるので、はりすに錘を別個装着しないでも浮きだけで安定した姿勢を保持することができ、また、別個装着する錘の重量に応じて浮きを所望の姿勢に保持させることができる。
【００１５】
また、請求項３に係る本発明では、発光体を装着するために形成した装着溝の周囲に反射面を形成しているために、発光体の発光部分だけでなく、反射面からも光を放射することができ、夜間での使用時に浮きの姿勢を目視で容易に確認することができる。
【発明を実施するための最良の形態】
【００１６】
以下に、本発明に係る釣用浮きの具体的な構成について図面を参照しながら説明する。
【００１７】
本発明に係る浮き１は、図１〜図５に示すように、上端部に略先鋭三角形状の上端面２を形成するとともに、下端部に略先鋭三角形状の下端面３を形成し、これらの上端面２と下端面３との間に釣糸４を挿通させるための円管状の糸通し５を形成している。
【００１８】
また、浮き１は、上端面２の前側下部に左右一対の上側前端面6,7を形成するとともに、この左右の上側前端面6,7の下部と下端面３の前側上部との間に左右一対の下側前端面8,9を形成している。
【００１９】
この上側前端面6,7及び下側前端面8,9は、前後に伸びる左右中心線11に対して後方へ向けて左右に開いた傾斜面としており、前端部中央から後方へ向けて徐々に間隔が広くなるような一対の面としている。
【００２０】
そして、浮き１は、上記した上端面２と下端面３と上側前端面6,7と下側前端面8,9で前半部を形成しており、この前半部は、図６に示すように、錘として機能するように全体を金属製の重量のある錘部10としている。
【００２１】
また、浮き１は、上端面２の後部に略台形状の頂面12を形成するとともに、下端面３の後部に略台形状の底面13を形成している。
【００２２】
また、浮き１は、頂面12の左右側部に上側前端面6,7に連なる左右一対の上側側面14,15を形成するとともに、この上側側面14,15の下部と底面13の左右側部との間に下側前端面8,9に連なる左右一対の下側側面16,17を形成している。
【００２３】
この上側側面14,15及び下側側面16,17は、前後に伸びる左右中心線11に対して後方へ向けて左右に開いた傾斜面としており、後方へ向けて徐々に間隔が広くなるような一対の面としている。
【００２４】
さらに、浮き１は、頂面12と底面13との後端部間に上側側面14,15及び下側側面16,17の後端部に連なる後端面18を形成している。
【００２５】
この後端面18は、前後に伸びる左右中心線11と直交する平坦面としている。
【００２６】
そして、浮き１は、上記した頂面12と底面13と上側側面14,15と下側側面16,17と後端面18で後半部を形成しており、この後半部は、図６に示すように、全体を浮力のある桐や発泡剤で形成することによって水中で浮力を発生させる浮力発生部19としている。
【００２７】
浮き１は、以上に説明した形状となっており、水平断面で見ると図７に示すように、先鋭状の概略ホームベース型の五角形となっている。
【００２８】
そして、浮き１は、図７に示すように、上側前端面6,7（下側前端面8,9）が前側中央部分で先鋭状に連なっているために、図中に矢印で示すように潮や風が前方から後方に向けて流れる場合に、上側前端面6,7（下側前端面8,9）によって潮や風の流れを左右に振り分けることができる。すなわち、浮き１では、前端部分に位置する先鋭状の上側前端面6,7（下側前端面8,9）が前方からの潮や風の流れを左右後方に振り分ける振分部20として機能している。
【００２９】
しかも、浮き１は、後端面18が左右中心線11と直交しているために、振分部20で振り分けた潮や風の流れが後端面18の左右端部で内向きに巻き込まれることになり、これによって後端面18を前方へ向けて押圧する押圧力が発生しており、この押圧力を後端面18で受けることになる。すなわち、浮き１では、後端部分に位置する後端面18が前端部分の振分部20で振り分けた潮や風の流れを巻き込むことによって発生させた前方へ向かう押圧力を受ける受部21として機能している。
【００３０】
このように、上記構成の浮き１は、前端部分に前方からの潮や風の流れを左右後方に振り分ける振分部20を形成するとともに、後端部分に振分部20で振り分けた潮や風の流れを巻き込むことによって発生させた前方へ向かう押圧力を受ける受部21を形成している。
【００３１】
そのため、上記構成の浮き１では、潮や風の流れが速い釣り場であっても、振分部20で振り分けた潮や風で発生した押圧力を受部21で受けることによって浮き１に前方へ押圧する力が作用することになり、浮き１が潮や風とともに流れてしまうのを防止することができ、潮や風の流れよりもゆっくりと浮き１が流れることになり、はりす22の巻上げが少なくなって狙った棚（深さ）に付け餌を通しておくことが簡単に行えるようになる。
【００３２】
また、上記構成の浮き１は、前半部全体を重量のある錘部10とするとともに、後半部全体を水中で浮力を発生させる浮力発生部19としているために、前半部全体に形成した錘部10によって浮き１を投げ込んだ際の空中での重心のぶれがなくなり、浮き１を所望する位置に投げ込むことができる。
【００３３】
そして、浮き１は、前半部全体に錘部10を形成したことによって、図８に示すように、はりす22に装着した錘23の有無や重量に応じて、様々な姿勢を保持することができる。すなわち、図８(a)に示すように、はりす22に錘23を装着しなくても錘部10の重量だけではりす22を潮の流れに乗せた沖釣りに適した姿勢を安定に保持することができ、また、図８(b)に示すように、はりす22に比較的軽量な錘23を装着することによって所定の水深に釣針24を定着させた状態での釣りに適した姿勢に保持することができ、さらに、図８(c)に示すように、はりす22に比較的重量な錘23を装着することによって浮き１を概ね直立させた状態にした水底での釣りに適した姿勢に保持することができる。
【００３４】
しかも、浮き１の受部21を形成する後端面12の傾斜角度が図８(a)、(b)、(c)の順で急勾配となっており、それに伴って浮き1の受部21が受ける押圧力が大きくなるので、潮や風の流れが遅い場合には図８(a)に示すように浮き１を寝かせた状態にして潮や風とともに浮き１を流すこともでき、また、潮や風の流れが速い場合には図８(c)に示すように浮き１を直立させた状態にして潮や風に伴って浮き１が流れてしまうのを防ぐこともできる。このように、釣り人が錘23の有無や重量を変更するだけで、浮き１の姿勢を変更するとともに、浮き１が流れる速さをも調節することができる。
【００３５】
このように、浮き１は、前半部全体を錘部10とすることによって、はりす22に錘23を別個装着しないでも浮き１だけで安定した姿勢を保持することができ、また、別個装着する錘23の重量に応じて浮き１を所望の姿勢に保持させることができ、様々な姿勢に容易に変更することができ、しかも、浮き１の姿勢の変更によって浮き１の流れる速さを調節することができる。
【００３６】
しかも、上記構成の浮き１では、錘部10に糸通し５を形成しているために、ドリル加工などの簡易な加工方法で糸通し５を形成することができるので、浮き１の製造を容易なものとすることができる。
【００３７】
また、浮き１は、図９に示すように、頂面12に発光体を装着するための装着溝25を形成するとともに、この頂面12に他の面よりも反射率の高い反射性塗料を塗布することによって装着溝25の周囲に反射面を形成することもできる。
【００３８】
このように、上記浮き１では、発光体を装着するために形成した装着溝25の周囲に反射面を形成しているために、発光体の発光部分だけでなく、反射面からも光を放射することができ、夜間での使用時に浮き１の姿勢を目視で容易に確認することができる。
【図面の簡単な説明】
【００３９】
【図１】本発明に係る浮きを示す正面図。
【図２】同側面図。
【図３】同平面図。
【図４】同背面図。
【図５】同底面図。
【図６】同断面図。
【図７】浮きの作用を示す説明図（断面図）。
【図８】浮きの姿勢を示す説明図。
【図９】反射面を示す平面図。
【符号の説明】
【００４０】
１  浮き                                  ２  上端面
３  下端面                                ４  釣糸
５  糸通し                                6,7  上側前端面
8,9  下側前端面                           10  錘部
11  左右中心線                            12  頂面
13  底面                                  14,15  上側側面
16,17  下側側面                           18  後端面
19  浮力発生部                            20  振分部
21  受部                                  22  はりす
23  錘                                    24  釣針
25  装着溝
【図１】
2006311809.tif 000003
【図２】
2006311809.tif 000004
【図３】
2006311809.tif 000005
【図４】
2006311809.tif 000006
【図５】
2006311809.tif 000007
【図６】
2006311809.tif 000008
【図７】
2006311809.tif 000009
【図８】
2006311809.tif 000010
【図９】
2006311809.tif 000011